(57)【要約】【課題】通常時には照明として使用でき、非常時には取り外して非常灯として使用することができる照明器具を提供する。【解決手段】通常時には、光源４１を有する照明本体４０および非常時用バッテリ４２を被取付部１１に取付けた状態で、通常点灯用電源３１から電力を供給して光源４１を点灯させて照明として使用する。また、非常時には、照明本体４０および非常時用バッテリ４２を被取付部１１から取り外し、非常時用バッテリ４２から電力を供給して光源４１を点灯させて使用する。非常時用バッテリ４２は、通常時には通常点灯用電源３１から供給される電力により充電されており、非常時には光源４１に電力を供給して点灯する。このため、通常時には照明として使用でき、非常時には取り外して持ち運び可能な非常灯として使用することができる。【選択図】図１
2011048964.tif 000002
【特許請求の範囲】
【請求項１】
被取付部に取付可能で通常時および非常時に兼用できる照明器具であって、
光源を内蔵する照明本体と、
前記通常時に前記光源に点灯用の電力を供給する通常点灯用電源と、
前記通常時には前記通常点灯用電源から供給される電力により充電され、前記非常時には前記光源に点灯用の電力を供給する非常時用バッテリと、を有し、
少なくとも前記照明本体および前記非常時用バッテリが、前記非常時には前記被取付部から取り外し可能であることを特徴とする照明器具。
【請求項２】
前記光源がＬＥＤであることを特徴とする請求項１記載の照明器具。
【請求項３】
前記照明本体および前記通常点灯用電源および前記非常時用バッテリを内蔵する器具本体が前記被取付部に埋め込まれて取付けられ、前記通常点灯用電源は前記器具本体に固定され、前記非常時用バッテリは前記照明本体に設けられ、前記照明本体は前記通常点灯用電源との接続部により着脱可能に保持されていることを特徴とする請求項１または２記載の照明器具。
【請求項４】
前記通常点灯用電源を内蔵する電源ボックスが前記被取付部に直付けされ、前記非常時用バッテリは前記照明本体に設けられ、前記照明本体は前記通常点灯用電源との接続部により着脱可能に保持されていることを特徴とする請求項１または２記載の照明器具。
【請求項５】
前記通常点灯用電源を内蔵する電源ボックスは前記被取付部に取付けられたライティングダクトに沿って移動可能に取付けられ、
前記非常時用バッテリは前記照明本体に内蔵され、
前記照明本体は前記電源ボックスに取り外し可能に取付けられていることを特徴とする請求項１または２記載の照明器具。
【請求項６】
前記通常点灯用電源および前記非常時用バッテリを内蔵する電源ボックスは、前記被取付部に取付けられたライティングダクトに沿って移動可能且つ取り外し可能に取付けられ、
前記照明本体は前記電源ボックスに取付けられていることを特徴とする請求項１または２記載の照明器具。
【発明の詳細な説明】
【技術分野】
【０００１】
本発明は、通常時および非常時に兼用できる照明器具に関するものである。
【背景技術】
【０００２】
従来の照明器具には、主光源及び非常用光源が設けられて、通常時および非常時に兼用できるものがある（例えば特許文献１参照）。
以下、図５により従来の照明器具１００について説明する。この照明器具１００は、下方が開口(第一透光開口)した円柱形状であって天井の内側へ埋込まれる器具本体１０１を有する。器具本体１０１の内部には、通常時に照明として用いられる主光源である片口金形の蛍光ランプ１０２および蛍光ランプ１０２の照明光を所定の方向へ照射する反射体１０３を内蔵する。器具本体１０１の上部には、商用電源１１１に接続された端子部１０９が設けられており、端子部１０９には点灯装置１１２が接続されている。蛍光ランプ１０２は、口金１１０に設けられているランプピンを端子部１０９に接続することにより、落下しないように保持されるとともに、通常時には、点灯装置１１２から電力の供給を受けて点灯する。
【０００３】
器具本体１０１の下端には所定幅のリング状の枠部１０４が設けられており、枠部１０４には第二透光開口１０５が設けられている。第二透光開口１０５の内部には、非常用の光源となるＬＥＤ１０６および配光制御手段１０７が設けられている。また、器具本体１０１内部における反射体１０３の外側には、非常用点灯ユニット１０８が設けられている。非常用点灯ユニット１０８には常時に充電されている蓄電池が設けられており、ＬＥＤ１０６を点灯させるスイッチ紐１１３が、枠部１０４から下方へ垂れ下がっている。
従って、非常時にスイッチ紐１１３を下方へ引くことにより、ＬＥＤ１０６を点灯させる。
【先行技術文献】
【特許文献】
【０００４】
【特許文献１】特開２００４−１８５８７５号公報（第１図）
【発明の概要】
【発明が解決しようとする課題】
【０００５】
前述した従来の照明器具１００においては、非常時にスイッチ紐１１３を引くことにより、非常灯であるＬＥＤ１０６を点灯させることができる。しかしながら、非常時用のＬＥＤ１０６は定位置に固定された器具本体１０１に固定されているため、例えば、停電時等の非常時に移動する必要がある場合には、照明として使用することができないという問題があった。
【０００６】
本発明は、従来の問題を解決するためになされたもので、通常時には照明として使用でき、非常時には取り外して非常灯として使用することができる照明器具を提供することを目的とする。
【課題を解決するための手段】
【０００７】
本発明の照明器具は、通常時および非常時に兼用できる照明器具であって、光源を内蔵する照明本体と、前記通常時に前記光源に点灯用の電力を供給する通常点灯用電源と、前記通常時には前記通常点灯用電源から供給される電力により充電され、前記非常時には前記光源に点灯用の電力を供給する非常時用バッテリと、を有し、少なくとも前記照明本体および前記非常時用バッテリが、前記非常時には前記被取付部から取り外し可能である構成を有している。
【０００８】
この構成により、通常時には、光源を有する照明本体および非常時用バッテリを被取付部に取付けた状態で、通常点灯用電源から電力を供給して光源を点灯させて照明として使用する。また、非常時には、照明本体および非常時用バッテリを被取付部から取り外し、非常時用バッテリから電力を供給して光源を点灯させて使用する。非常時用バッテリは、通常時には通常点灯用電源から供給される電力により充電されており、非常時には光源に電力を供給して点灯する。このため、通常時には照明として使用でき、非常時には取り外して持ち運び可能な非常灯として使用することができる。
【０００９】
また、本発明の照明器具は、前記光源がＬＥＤである構成を有している。
【００１０】
この構成により、光源としてＬＥＤを用いるので、省エネを図ることができる。また、非常時に非常時用バッテリで光源を点灯させる際に、長時間点灯させることができる。
【００１１】
また、本発明の照明器具は、前記照明本体および前記通常点灯用電源および前記非常時用バッテリを内蔵する器具本体が前記被取付部に埋め込まれて取付けられ、前記通常点灯用電源は前記器具本体に固定され、前記非常時用バッテリは前記照明本体に設けられ、前記照明本体は前記通常点灯用電源との接続部により着脱可能に保持され構成を有している。
【００１２】
この構成により、照明本体および通常点灯用電源および非常時用バッテリを内蔵する器具本体は、被取付部に埋め込んで固定されている。通常点灯用電源は器具本体に固定され、通常時には、光源および非常時用バッテリを有する照明本体は接続部を介して通常点灯用電源に接続されているので埋め込み式の照明として使用される。そして、非常時には、照明本体を接続部から取り外して使用するので、持ち運び可能な非常灯として使用することができる。
【００１３】
また、本発明の照明器具は、前記通常点灯用電源を内蔵する電源ボックスが前記被取付部に直付けされ、前記非常時用バッテリは前記照明本体に設けられ、前記照明本体は前記通常点灯用電源との接続部により着脱可能に保持された構成を有している。
【００１４】
この構成により、通常点灯用電源を内蔵した電源ボックスは被取付部に直付けで固定されており、通常時には、光源および非常時用バッテリを有する照明本体は、接続部を介して通常点灯用電源に接続されているので、直付け式の照明として使用される。そして、非常時には、照明本体を電源ボックスの通常点灯用電源から取り外して使用するので、持ち運び可能な非常灯として使用することができる。
【００１５】
また、本発明の照明器具は、前記通常点灯用電源を内蔵する電源ボックスが前記被取付部に取付けられたライティングダクトに沿って移動可能に取付けられ、前記非常時用バッテリは前記照明本体に内蔵され、前記照明本体は前記電源ボックスに取り外し可能に取付けられた構成を有している。
【００１６】
この構成により、通常点灯用電源を内蔵した電源ボックスは、被取付部に取付けられたライティングダクトに沿って移動可能に取付けられるとともに、照明本体が取り外し可能に取付けられているので、通常時には、ライティングダクトに沿って移動可能な照明として使用される。そして、照明本体には非常時用バッテリが取付けられているので、非常時には、照明本体を電源ボックスから取り外して、非常時用バッテリにより光源を点灯させることにより、持ち運び可能な非常灯として使用することができる。
【００１７】
さらに、本発明の照明器具では、前記通常点灯用電源および前記非常時用バッテリを内蔵する電源ボックスが、前記被取付部に取付けられたライティングダクトに沿って移動可能且つ取り外し可能に取付けられ、前記照明本体は前記電源ボックスに取付けられた構成を有している。
【００１８】
この構成により、通常点灯用電源および非常時用バッテリを内蔵した電源ボックスは、被取付部に取付けられたライティングダクトに沿って移動可能に取付けられるとともに、取り外し可能となっている。従って、通常時には、ライティングダクトに沿って移動可能な照明として使用される。そして、電源ボックスには非常時用バッテリが取付けられているので、非常時には、照明本体および電源ボックスをライティングダクトから取り外して、非常時用バッテリにより光源を点灯させることにより、持ち運び可能な非常灯として使用することができる。
【発明の効果】
【００１９】
本発明は、通常時には、光源を有する照明本体および非常時用バッテリを被取付部に取付けた状態で、通常点灯用電源から電力を供給して光源を点灯させて照明として使用する。また、非常時には、照明本体および非常時用バッテリを被取付部から取り外し、非常時用バッテリから電力を供給して光源を点灯させて使用する。非常時用バッテリは、通常時には通常点灯用電源から供給される電力により充電されており、非常時には光源に電力を供給して点灯する。このため、通常時には照明として使用でき、非常時には取り外して持ち運び可能な非常灯として使用することができるという効果を有する照明器具を提供できる。
【図面の簡単な説明】
【００２０】
【図１】本発明に係る第１実施形態の照明器具を示す構成図
【図２】本発明に係る第２実施形態の照明器具を示す構成図
【図３】本発明に係る第３実施形態の照明器具を示す構成図
【図４】本発明に係る第４実施形態の照明器具を示す構成図
【図５】従来の照明器具の斜視図
【発明を実施するための形態】
【００２１】
（第１実施形態）
以下、本発明の第１実施形態の照明器具について、図面を用いて説明する。
図１に示すように、本発明に係る第１実施形態の照明器具１０は、被取付部である例えば天井１１に設けられた取付穴１１１に埋め込まれて取付けられる埋め込み式の照明として用いることができる。
【００２２】
天井１１に埋め込まれる器具本体２０は、上端に天板２１を有する円筒形や正多角形の断面を有する筒状部材であり、下端部には光を照射するための開口２２を有する。器具本体２０の下部には、器具本体２０の側壁２３から外側へ飛び出す複数個の係止爪２４が設けられており、係止爪２４は天井１１の裏面に当接して、器具本体２０が落下しないように保持する。
【００２３】
天板２１の下面には、通常時に点灯用の電力を供給する通常点灯用電源３１を内蔵した電源ボックス３０が固定されている。通常点灯用電源３１には電線３２の一端が接続されており、電線３２の他端は器具本体２０の天板２１を貫通して天井１１の裏に延びて、端子台(図示省略)等を介して商用電源に接続される。また、通常点灯用電源３１の下面には接続部を構成する供給側接続部３３が取り付けられており、供給側接続部３３の下面は下方に露出している。
【００２４】
電源ボックス３０の下側には、下面に光源であるＬＥＤ４１を有する照明本体４０が設けられている。照明本体４０は、非常時用バッテリ４２および非常時用バッテリ４２を充電するための充電用ブロック４３が内蔵されている。照明本体４０の上部には接続部である受給側接続部４４が取り付けられており、供給側接続部３３と接続・分離可能となっている。受給側接続部４４と供給側接続部３３とを接続した状態では、照明本体４０は電源ボックス３０に支持されるとともに導通して、ＬＥＤ４１点灯用の電力および非常時用バッテリ４２を充電するための電力の供給を受ける。なお、ＬＥＤ４１は、通常点灯用電源３１および非常時用バッテリ４２の両方に接続されている。
【００２５】
従って、通常時には、照明本体４０の受給側接続部４４を電源ボックス３０の供給側接続部３３に接続することにより、照明本体４０は器具本体２０の内部に収容される。この状態では、ＬＥＤ４１は通常点灯用電源３１から電力の供給を受けることができ、点灯可能となる。また、同時に、充電用ブロック４３も通常点灯用電源３１に接続されており、非常時用バッテリ４２の充電を行う。
【００２６】
一方、非常時には、受給側接続部４４を供給側接続部３３から分離して、照明本体４０を器具本体２０から取り外す。この状態では、ＬＥＤ４１は非常時用バッテリ４２から電力の供給を受けて、点灯可能となる。
【００２７】
以上、説明した第１実施形態の照明器具１０によれば、通常時には、ＬＥＤ４１を有する照明本体４０を器具本体２０の電源ボックス３０に取付けた状態で、通常点灯用電源３１から電力を供給してＬＥＤ４１を点灯させることにより通常の埋め込み式の照明として使用できる。また、非常時には、器具本体２０から照明本体４０を取り外して、非常時用バッテリ４２から電力を供給してＬＥＤ４１を点灯させることにより、持ち運び可能な非常灯として使用できる。
また、光源としてＬＥＤ４１を用いるので、省エネを図ることができる。また、非常時に非常時用バッテリ４２でＬＥＤ４１を点灯させる際に、長時間点灯させることができる。
さらに、非常時用バッテリは、通常時に通常点灯用電源３１から供給される電力により常時充電されているので、非常時に確実にＬＥＤ４１を点灯させることができる。
【００２８】
（第２実施形態）
次に、本発明に係る第２実施形態の照明器具を図２に示す。
なお、前述した第１実施形態の照明器具と共通する部位には同じ符号を付して、重複する説明を省略することとする。
【００２９】
図２に示すように、第２実施形態の照明器具１０Ｂでは、通常点灯用電源３１を内蔵する電源ボックス３０が天井１１に直付けされている。非常時用バッテリ４２は照明本体４０に設けられ、照明本体４０に設けられ接続部を構成する受給側接続部４４と、通常点灯用電源３１に設けられ接続部を構成する供給側接続部３３とが、分離可能に接続される。受給側接続部４４と供給側接続部３３とを接続した状態では、照明本体４０は電源ボックス３０に支持されるとともに導通して、ＬＥＤ４１点灯用の電力および非常時用バッテリ４２を充電するための電力の供給を受ける。
【００３０】
従って、通常時には、照明本体４０の受給側接続部４４を電源ボックス３０の供給側接続部３３に接続することにより、照明本体４０は電源ボックス３０を介して天井１１に取付けられる。この状態では、ＬＥＤ４１は通常点灯用電源３１から電力の供給を受けることができ、点灯可能となる。また、同時に、充電用ブロック４３も通常点灯用電源３１に接続されており、非常時用バッテリ４２の充電を行う。
【００３１】
一方、非常時には、受給側接続部４４を供給側接続部３３から分離して、照明本体４０を電源ボックス３０から取り外す。この状態では、ＬＥＤ４１は非常時用バッテリ４２から電力の供給を受けて、点灯可能となる。
【００３２】
以上、説明した第２実施形態の照明器具１０Ｂによれば、通常点灯用電源３１を内蔵した電源ボックス３０は天井１１に直付けで固定されており、通常時には、ＬＥＤ４１および非常時用バッテリ４２を有する照明本体４０は、接続部３３、４４を介して通常点灯用電源３１に接続されているので、直付け式の照明として使用される。そして、非常時には、照明本体４０を電源ボックス３０の通常点灯用電源３１から取り外して使用するので、持ち運び可能な非常灯として使用することができる。
なお、電源ボックス３０および照明本体４０を内蔵する器具本体２０（図１参照）を取付けることもできる。
【００３３】
（第３実施形態）
次に、本発明に係る第３実施形態の照明器具を図３に示す。
なお、前述した第１および第２実施形態の照明器具と共通する部位には同じ符号を付して、重複する説明を省略することとする。
【００３４】
図３に示すように、第３実施形態の照明器具１０Ｃでは、天井１１にライティングダクト１２が取付けられており、通常点灯用電源３１を内蔵する電源ボックス３０がライティングダクト１２に移動可能に取付けられている。照明本体４０には受給側接続部４４が設けられており、電源ボックス３０には供給側接続部３３が設けられている。受給側接続部４４と供給側接続部３３とを接続あるいは分離することにより、照明本体４０は電源ボックス３０に取り外し可能に取付けられる。
【００３５】
電源ボックス３０の上面には、係止部を有するプラグ(図示省略)が上方に突出して設けられており、プラグをライティングダクト１２の下面に設けられている開口に挿通して係止部により係止することにより、移動可能に保持するとともに、開口に沿ってライティングダクト１２の内部に設けられ商用電源に接続されている通電板に接触して、電力の供給を受けるようになっている。
【００３６】
従って、通常時には、照明本体４０の受給側接続部４４を電源ボックス３０の供給側接続部３３に接続することにより、照明本体４０は電源ボックス３０を介してライティングダクト１２に取付けられる。この状態では、ＬＥＤ４１は通常点灯用電源３１から電力の供給を受けることができ、点灯可能となる。また、同時に、照明本体４０に内蔵されている非常時用バッテリ４２も通常点灯用電源３１に接続され、充電される。
【００３７】
一方、非常時には、受給側接続部４４を供給側接続部３３から分離して、照明本体４０を電源ボックス３０から取り外す。この状態では、ＬＥＤ４１は照明本体４０に内蔵されている非常時用バッテリ４２から電力の供給を受けて、点灯可能となる。
【００３８】
以上、説明した第３実施形態の照明器具１０Ｃによれば、通常点灯用電源３１を内蔵した電源ボックス３０は、天井１１に取付けられたライティングダクト１２に沿って移動可能に取付けられるとともに、照明本体４０が取り外し可能に取付けられているので、通常時には、ライティングダクト１２に沿って移動可能な例えばスポットライトとして使用される。そして、照明本体４０には非常時用バッテリ４２が内蔵されているので、非常時には、照明本体４０を電源ボックス３０から取り外して、非常時用バッテリ４２によりＬＥＤ４１を点灯させることにより、持ち運び可能な非常灯として使用することができる。
また、通常点灯用電源３１は照明本体４０とは別体なので、照明本体４０をコンパクトにすることができる。
さらに、通常点灯用電源３１と非常時用バッテリ４２が独立しているため、非常時用バッテリ４２の交換が容易である。
【００３９】
（第４実施形態）
次に、本発明に係る第４実施形態の照明器具を図４に示す。
なお、前述した第１〜第３実施形態の照明器具と共通する部位には同じ符号を付して、重複する説明を省略することとする。
【００４０】
図４に示すように、第４実施形態の照明器具１０Ｄでは、天井１１にライティングダクト１２が取付けられており、通常点灯用電源３１および非常時用バッテリ４２を内蔵する電源ボックス３０が、ライティングダクト１２に移動可能且つ取り外し可能に取付けられている。照明本体４０は電源ボックス３０に固定されている。
【００４１】
従って、通常時には、電源ボックス３０をライティングダクト１２に取付けることにより、照明本体４０は電源ボックス３０を介してライティングダクト１２に取付けられる。この状態では、ＬＥＤ４１は通常点灯用電源３１から電力の供給を受けることができ、点灯可能となる。また、同時に、電源ボックス３０に内蔵されている非常時用バッテリ４２も通常点灯用電源３１に接続され、充電される。
【００４２】
一方、非常時には、電源ボックス３０をライティングダクト１２から取り外す。照明本体４０は電源ボックス３０に取付けられているので、電源ボックス３０とともにライティングダクト１２から取り外される。この状態では、ＬＥＤ４１は電源ボックス３０に内蔵されている非常時用バッテリ４２から電力の供給を受けて、点灯可能となる。
【００４３】
以上、説明した第４実施形態の照明器具１０Ｄによれば、通常点灯用電源３１および非常時用バッテリ４２を内蔵した電源ボックス３０は、天井１１に取付けられたライティングダクト１２に沿って移動可能に取付けられるとともに、取り外し可能となっている。従って、通常時には、ライティングダクト１２に沿って移動可能な例えばスポットライトのような照明として使用される。そして、電源ボックス３０には非常時用バッテリ４２が取付けられているので、非常時には、照明本体４０が固定された電源ボックス３０をライティングダクト１２から取り外して、非常時用バッテリ４２によりＬＥＤ４１を点灯させることにより、持ち運び可能な非常灯として使用することができる。
【００４４】
なお、本発明の照明器具は、前述した各実施形態に限定されるものでなく、適宜な変形，改良等が可能である。
【符号の説明】
【００４５】
１０  照明器具
１１  天井（被取付部）
１２  ライティングダクト
２０  器具本体
３０  電源ボックス
３１  通常点灯用電源
３３  供給側接続部（接続部）
４０  照明本体
４１  ＬＥＤ（光源）
４２  非常時用バッテリ
４４  受給側接続部（接続部）
【図１】
2011048964.tif 000003
【図２】
2011048964.tif 000004
【図３】
2011048964.tif 000005
【図４】
2011048964.tif 000006
【図５】
2011048964.tif 000007